(57)【要約】【課題】遊技の興趣を高いものにして、遊技場の集客性を向上する。【解決手段】３つ並んだ図柄表示欄の少なくとも一つに、互いに異なる表示図柄が二以上含まれる特殊図柄を表示するようにしたので、大当たりの可能性が高くなり、大当たりへの期待が膨らみ、遊技の興趣を高いものにして、遊技場の集客性を向上することができる。特殊図柄表示状態の維持モードの表示プログラムは、絵柄合わせ遊技において、比較結果大（ハイレベル信号）の出力回数が所定回数になるまで行われ、比較結果大（ハイレベル信号）の出力回数が８回目になる場合に、必ず大当たりになり、特殊図柄表示状態維持が終了する。【選択図】図１
2004105759.tif 000002
【特許請求の範囲】
【請求項１】
　遊技盤面に設置された可変表示装置を稼動させて絵柄合わせ遊技を行い、可変表示装置の表示図柄が特定の組み合わせになる、大当たりになった場合に、遊技者に有利な特別状態になる権利が発生するようにした遊技機において、
　可変表示装置は、３つ並んだ図柄表示欄の各表示図柄が一致する場合に、大当たりになるように構成されて成り、
　各図柄表示欄の少なくとも一つに、互いに異なる表示図柄が二以上含まれる特殊図柄を表示し、該特殊図柄を構成する表示図柄と一致する表示図柄が他の図柄表示欄にも表示されて、相互に一致する表示図柄が３つ揃った場合に大当たり可能にする特殊図柄表示手段と、
　前記特殊図柄の表示を開始するまでに絵柄合わせ遊技を行うべき遊技回数である特殊図柄表示開始遊技回数を設定する特殊図柄表示開始遊技回数設定部と、
　絵柄合わせ遊技を行った際の遊技回数である実遊技回数を積算していく実遊技回数計数部と、
　前記実遊技回数が特殊図柄表示開始遊技回数になると、前記特殊図柄の表示が所定回数連続し大当たりとなる確率が高い特殊図柄表示状態の維持をする特殊図柄表示維持手段とを備えたことを特徴とする遊技機。
【請求項２】
　遊技盤面に設置された可変表示装置を稼動させて絵柄合わせ遊技を行い、可変表示装置の表示図柄が特定の組み合わせになる、大当たりになった場合に、遊技者に有利な特別状態になる権利が発生するようにした遊技機において、
　可変表示装置は、９つの図柄表示欄が３行３列のマトリックス状に配列され、前記図柄表示欄に表示図柄を可変表示して、各行のライン、各列のラインまたは斜めラインの少なくとも一つのライン上で３つの表示図柄が一致する場合に、大当たりになるように構成されて成り、
　前記９つの図柄表示欄の少なくとも一つに、互いに異なる表示図柄が二以上含まれる特殊図柄を表示し、該特殊図柄が表示された図柄表示欄を含むライン上で、該特殊図柄を構成する表示図柄と一致する表示図柄が他の図柄表示欄にも表示されて、前記ライン上で相互に一致する表示図柄が３つ揃った場合に大当たり可能にする特殊図柄表示手段と、
　前記特殊図柄の表示を開始するまでに絵柄合わせ遊技を行うべき遊技回数である特殊図柄表示開始遊技回数を設定する特殊図柄表示開始遊技回数設定部と、
　絵柄合わせ遊技を行った際の遊技回数である実遊技回数を積算していく実遊技回数計数部と、
　前記実遊技回数が特殊図柄表示開始遊技回数になると、前記特殊図柄の表示が所定回数連続し大当たりとなる確率が高い特殊図柄表示状態の維持をする特殊図柄表示維持手段とを備えたことを特徴とする遊技機。
【請求項３】
　遊技盤面に設置された可変表示装置を稼動させて絵柄合わせ遊技を行い、可変表示装置の表示図柄が特定の組み合わせになる、大当たりになった場合に、遊技者に有利な特別状態になる権利が発生するようにした遊技機において、
　可変表示装置は、３つ並んだ図柄表示欄の各表示図柄が一致する場合に、大当たりになるように構成されて成り、
　各図柄表示欄の少なくとも一つに、互いに異なる表示図柄が二以上含まれる特殊図柄を表示し、該特殊図柄を構成する表示図柄と一致する表示図柄が他の図柄表示欄にも表示されて、相互に一致する表示図柄が３つ揃った場合に大当たり可能にする特殊図柄表示手段と、
　前記特殊図柄の表示を開始するまでに絵柄合わせ遊技を行うべき遊技回数である特殊図柄表示開始遊技回数を設定する特殊図柄表示開始遊技回数設定部と、
　絵柄合わせ遊技を行った際の遊技回数である実遊技回数を積算していく実遊技回数計数部と、
　前記実遊技回数が特殊図柄表示開始遊技回数になると、大当たりになるまで、前記特殊図柄の表示が連続し大当たりとなる確率が高い特殊図柄表示状態の維持をする特殊図柄表示維持手段とを備えたことを特徴とする遊技機。
【請求項４】
　遊技盤面に設置された可変表示装置を稼動させて絵柄合わせ遊技を行い、可変表示装置の表示図柄が特定の組み合わせになる、大当たりになった場合に、遊技者に有利な特別状態になる権利が発生するようにした遊技機において、
　可変表示装置は、９つの図柄表示欄が３行３列のマトリックス状に配列され、前記図柄表示欄に表示図柄を可変表示して、各行のライン、各列のラインまたは斜めラインの少なくとも一つのライン上で３つの表示図柄が一致する場合に、大当たりになるように構成されて成り、
　前記９つの図柄表示欄の少なくとも一つに、互いに異なる表示図柄が二以上含まれる特殊図柄を表示し、該特殊図柄が表示された図柄表示欄を含むライン上で、該特殊図柄を構成する表示図柄と一致する表示図柄が他の図柄表示欄にも表示されて、前記ライン上で相互に一致する表示図柄が３つ揃った場合に大当たり可能にする特殊図柄表示手段と、
　前記特殊図柄の表示を開始するまでに絵柄合わせ遊技を行うべき遊技回数である特殊図柄表示開始遊技回数を設定する特殊図柄表示開始遊技回数設定部と、
　絵柄合わせ遊技を行った際の遊技回数である実遊技回数を積算していく実遊技回数計数部と、
　前記実遊技回数が特殊図柄表示開始遊技回数になると、大当たりになるまで、前記特殊図柄の表示が連続し大当たりとなる確率が高い特殊図柄表示状態の維持をする特殊図柄表示維持手段とを備えたことを特徴とする遊技機。
【請求項５】
　前記特殊図柄表示維持手段が特殊図柄表示状態の維持をしている場合に、該特殊図柄表示状態の維持を報知する特殊図柄表示維持報知手段を備えたことを特徴とする請求項１，２，３または４記載の遊技機。
【請求項６】
　前記特殊図柄表示維持報知手段は、特殊図柄表示状態の維持をしない特殊図柄表示状態非維持時と、特殊図柄表示状態の維持をする特殊図柄表示状態維持時とで、その表示色を切り換えて表示する特殊図柄表示維持表示部から構成されていることを特徴とする請求項５記載の遊技機。
【請求項７】
　前記特殊図柄表示維持報知手段が報知を開始する場合に、報知音を発生する報知音発生装置を備えたことを特徴とする請求項５または６記載の遊技機。
【発明の詳細な説明】
【技術分野】
【０００１】
　本発明は、遊技盤面に設置された可変表示装置を稼動させて絵柄合わせ遊技を行い、可変表示装置の表示図柄が特定の組み合わせになる、大当たりになった場合に、遊技者に有利な特別状態になる権利が発生するようにした遊技機に関する。ここで、遊技機としては、パチンコ機やスロットマシンがこれに該当する。
【背景技術】
【０００２】
　従来の遊技機としては、例えば、パチンコ機において、可変表示装置は三つの図柄表示欄を並設して成り、パチンコ球が始動口に入賞する場合に、各図柄表示欄の表示図柄がそれぞれ可変表示され、二箇所の図柄表示欄の表示図柄が一致し、残る一箇所の図柄表示欄の表示図柄が未定あるいは一致しない場合に、いわゆるリーチ状態に成り、残る一箇所の図柄表示欄の表示図柄が、先に一致した二箇所の表示図柄と同じである場合に、大当たりになって特別状態が発生するものが一般的である。
【発明の開示】
【発明が解決しようとする課題】
【０００３】
　しかしながら、このような従来の遊技機では、三つ並んだ図柄表示欄の各表示図柄が、全部一致しない場合には、大当たりにならないので、大当たりになる可能性が低く、大当たりになるまでに、絵柄合わせ遊技を数多く行う必要があり、遊技者が飽きてしまい、遊技の興趣が薄れて、このような遊技機では、遊技場の集客性が低下する場合があるという問題点があった。
【０００４】
　本発明は、このような従来の問題点に着目してなされたもので、１以上の図柄表示欄に互いに異なる表示図柄を含む特殊図柄を表示するようにして、特殊図柄の表示図柄と一致する表示図柄が、他の図柄表示欄の一方に表示される場合に、リーチ状態に成り、３つの表示図柄が一致した場合に、大当たりになるようにして、リーチ状態になる可能性を高くする場合があるとともに、大当たりになる可能性も高くし、遊技の興趣を高いものにして、遊技場の集客性を向上することができるようにした遊技機を提供することを目的としている。
【課題を解決するための手段】
【０００５】
　かかる目的を達成するための本発明の要旨とするところは、次の各項に記載された事項に存する。　
　［１］遊技盤面（１２）に設置された可変表示装置（１８）を稼動させて絵柄合わせ遊技を行い、可変表示装置（１８）の表示図柄が特定の組み合わせになる、大当たりになった場合に、遊技者に有利な特別状態になる権利が発生するようにした遊技機（１０）において、
　可変表示装置（１８）は、３つ並んだ図柄表示欄の各表示図柄が一致する場合に、大当たりになるように構成されて成り、
　各図柄表示欄の少なくとも一つに、互いに異なる表示図柄が二以上含まれる特殊図柄を表示し、該特殊図柄を構成する表示図柄と一致する表示図柄が他の図柄表示欄にも表示されて、相互に一致する表示図柄が３つ揃った場合に大当たり可能にする特殊図柄表示手段（２４）と、
　前記特殊図柄の表示を開始するまでに絵柄合わせ遊技を行うべき遊技回数である特殊図柄表示開始遊技回数を設定する特殊図柄表示開始遊技回数設定部（２１）と、
　絵柄合わせ遊技を行った際の遊技回数である実遊技回数を積算していく実遊技回数計数部（２２）と、
　前記実遊技回数が特殊図柄表示開始遊技回数になると、前記特殊図柄の表示が所定回数連続し大当たりとなる確率が高い特殊図柄表示状態の維持をする特殊図柄表示維持手段（２５）とを備えたことを特徴とする遊技機（１０）。
【０００６】
　［２］遊技盤面（１２）に設置された可変表示装置（１８）を稼動させて絵柄合わせ遊技を行い、可変表示装置（１８）の表示図柄が特定の組み合わせになる、大当たりになった場合に、遊技者に有利な特別状態になる権利が発生するようにした遊技機（１０）において、
　可変表示装置（１８）は、９つの図柄表示欄が３行３列のマトリックス状に配列され、前記図柄表示欄に表示図柄を可変表示して、各行のライン、各列のラインまたは斜めラインの少なくとも一つのライン上で３つの表示図柄が一致する場合に、大当たりになるように構成されて成り、
　前記９つの図柄表示欄の少なくとも一つに、互いに異なる表示図柄が二以上含まれる特殊図柄を表示し、該特殊図柄が表示された図柄表示欄を含むライン上で、該特殊図柄を構成する表示図柄と一致する表示図柄が他の図柄表示欄にも表示されて、前記ライン上で相互に一致する表示図柄が３つ揃った場合に大当たり可能にする特殊図柄表示手段（２４）と、
　前記特殊図柄の表示を開始するまでに絵柄合わせ遊技を行うべき遊技回数である特殊図柄表示開始遊技回数を設定する特殊図柄表示開始遊技回数設定部（２１）と、
　絵柄合わせ遊技を行った際の遊技回数である実遊技回数を積算していく実遊技回数計数部（２２）と、
　前記実遊技回数が特殊図柄表示開始遊技回数になると、前記特殊図柄の表示が所定回数連続し大当たりとなる確率が高い特殊図柄表示状態の維持をする特殊図柄表示維持手段（２５）とを備えたことを特徴とする遊技機（１０）。
【０００７】
　［３］遊技盤面（１２）に設置された可変表示装置（１８）を稼動させて絵柄合わせ遊技を行い、可変表示装置（１８）の表示図柄が特定の組み合わせになる、大当たりになった場合に、遊技者に有利な特別状態になる権利が発生するようにした遊技機（１０）において、
　可変表示装置（１８）は、３つ並んだ図柄表示欄の各表示図柄が一致する場合に、大当たりになるように構成されて成り、
　各図柄表示欄の少なくとも一つに、互いに異なる表示図柄が二以上含まれる特殊図柄を表示し、該特殊図柄を構成する表示図柄と一致する表示図柄が他の図柄表示欄にも表示されて、相互に一致する表示図柄が３つ揃った場合に大当たり可能にする特殊図柄表示手段（２４）と、
　前記特殊図柄の表示を開始するまでに絵柄合わせ遊技を行うべき遊技回数である特殊図柄表示開始遊技回数を設定する特殊図柄表示開始遊技回数設定部（２１）と、
　絵柄合わせ遊技を行った際の遊技回数である実遊技回数を積算していく実遊技回数計数部（２２）と、
　前記実遊技回数が特殊図柄表示開始遊技回数になると、大当たりになるまで、前記特殊図柄の表示が連続し大当たりとなる確率が高い特殊図柄表示状態の維持をする特殊図柄表示維持手段（２５）とを備えたことを特徴とする遊技機（１０）。
【０００８】
　［４］遊技盤面（１２）に設置された可変表示装置（１８）を稼動させて絵柄合わせ遊技を行い、可変表示装置（１８）の表示図柄が特定の組み合わせになる、大当たりになった場合に、遊技者に有利な特別状態になる権利が発生するようにした遊技機（１０）において、
　可変表示装置（１８）は、９つの図柄表示欄が３行３列のマトリックス状に配列され、前記図柄表示欄に表示図柄を可変表示して、各行のライン、各列のラインまたは斜めラインの少なくとも一つのライン上で３つの表示図柄が一致する場合に、大当たりになるように構成されて成り、
　前記９つの図柄表示欄の少なくとも一つに、互いに異なる表示図柄が二以上含まれる特殊図柄を表示し、該特殊図柄が表示された図柄表示欄を含むライン上で、該特殊図柄を構成する表示図柄と一致する表示図柄が他の図柄表示欄にも表示されて、前記ライン上で相互に一致する表示図柄が３つ揃った場合に大当たり可能にする特殊図柄表示手段（２４）と、
　前記特殊図柄の表示を開始するまでに絵柄合わせ遊技を行うべき遊技回数である特殊図柄表示開始遊技回数を設定する特殊図柄表示開始遊技回数設定部（２１）と、
　絵柄合わせ遊技を行った際の遊技回数である実遊技回数を積算していく実遊技回数計数部（２２）と、
　前記実遊技回数が特殊図柄表示開始遊技回数になると、大当たりになるまで、前記特殊図柄の表示が連続し大当たりとなる確率が高い特殊図柄表示状態の維持をする特殊図柄表示維持手段（２５）とを備えたことを特徴とする遊技機（１０）。
【０００９】
　［５］前記特殊図柄表示維持手段（２５）が特殊図柄表示状態の維持をしている場合に、該特殊図柄表示状態の維持を報知する特殊図柄表示維持報知手段（３０）を備えたことを特徴とする［１］，［２］，［３］または［４］記載の遊技機（１０）。
【００１０】
　［６］前記特殊図柄表示維持報知手段（３０）は、特殊図柄表示状態の維持をしない特殊図柄表示状態非維持時と、特殊図柄表示状態の維持をする特殊図柄表示状態維持時とで、その表示色を切り換えて表示する特殊図柄表示維持表示部（３２）から構成されていることを特徴とする［５］記載の遊技機（１０）。
【００１１】
　［７］前記特殊図柄表示維持報知手段（３０）が報知を開始する場合に、報知音を発生する報知音発生装置（３５）を備えたことを特徴とする［５］または［６］記載の遊技機（１０）。
【００１２】
　次に、前記各項に記載された発明の作用について説明する。　
　［１］項記載の遊技機（１０）では、通常の絵柄合わせ遊技においては、可変表示装置（１８）は、３つ並んだ図柄表示欄の二つの表示図柄が確定し、その二つの表示図柄が一致し、残りの一つの表示図柄が未定でありあるいは一致しない場合に、リーチ状態となり、残りの一つの表示図柄が先に確定した二つの表示図柄と一致する場合に、大当たりになる。
【００１３】
　また、特殊図柄表示手段（２４）は、少なくとも一つの図柄表示欄に、互いに異なる表示図柄が二以上含まれる特殊図柄を表示する。そして、特殊図柄を構成する表示図柄と、他の図柄表示欄の表示図柄とが互いに一致した場合に、リーチ状態になり、３つの表示図柄が一致した場合に大当たりとなる。
【００１４】
　一つの図柄表示欄、二つの図柄表示欄、または三つの図柄表示欄に特殊図柄がそれぞれ表示された場合に、リーチ状態になり、あるいは大当たりになる確率は、三つの図柄表示欄に通常の表示図柄がそれぞれ表示された場合に比して、２倍、４倍、または８倍と一般的に高くなるので、特殊図柄の数が増えていくに応じて、遊技者の期待感が増して、遊技の興趣を高めることができる。
【００１５】
　また、遊技機（１０）内の制御部を構成する特殊図柄表示開始遊技回数設定部（２１）には、特殊図柄の表示を開始するまでの遊技回数である特殊図柄表示開始遊技回数が記録される。特殊図柄表示開始遊技回数は、遊技機（１０）ごとに、また、同一の遊技機（１０）であっても遊技時間帯によって、その数値が異なる。
【００１６】
　遊技盤面（１２）に設置された可変表示装置（１８）を稼動させて絵柄合わせ遊技を行っていくと、実遊技回数計数部（２２）が、絵柄合わせ遊技を行った際の遊技回数である実遊技回数を積算していく。
【００１７】
　そして、実遊技回数が特殊図柄表示開始遊技回数になると、特殊図柄表示維持手段（２５）は、可変表示装置（１８）における特殊図柄の表示を所定回数連続させて大当たりとなる確率が高い特殊図柄表示状態を維持する。このように、特殊図柄の表示が連続すれば、大当たりになる可能性が高いことが明確になる。
【００１８】
　それにより、遊技者は所持金を考慮して、遊技を続行するか否かを冷静に判断することができる。すなわち、遊技者は、現段階で特殊図柄の表示が連続しなければ、大当たりになる可能性が低く、大当たりになるまで、さらに多数回の絵柄合わせ遊技を行う必要があることから、遊技を終了し、一方、特殊リーチの表示が連続すれば、遊技を続行し、特殊リーチの表示の連続が終了し、結果的に大当たりにならない場合に、その結果が出た時点で遊技を終了するようにすれば、お金を遊技機（１０）へ必要以上につぎ込むことが防止される。
【００１９】
　大当たりが発生する場合に、特殊図柄表示維持手段（２５）は、特殊図柄表示状態の維持の終了命令を可変表示装置（１８）に出力することで、可変表示装置（１８）における特殊図柄表示状態の維持は終了し、通常の絵柄合わせ遊技状態に戻る。
【００２０】
　［２］項記載の遊技機（１０）では、通常の絵柄合わせ遊技においては、可変表示装置（１８）は、９つの図柄表示欄が３行３列のマトリックス状に配列され、絵柄合わせ遊技を行うごとに、各図柄表示欄に表示図柄が表示され図柄表示欄の各行のライン、各列のラインまたは斜めラインの少なくとも一つのライン上で３つの表示図柄が一致する場合に、大当たりになる。
【００２１】
　また、特殊図柄表示手段（２４）は、少なくとも一つの図柄表示欄に、互いに異なる表示図柄が二以上含まれる特殊図柄を表示する。そして、各ライン上において、特殊図柄を構成する表示図柄と、他の図柄表示欄の表示図柄とが互いに一致した場合に、リーチ状態になり、３つの表示図柄が一致した場合に大当たりとなる。
【００２２】
　特に、２行目のラインと２列目のラインとが交差する一の図柄表示欄において、一つの特殊図柄が表示された場合に、リーチ状態になり、あるいは、大当たりになる確率は、通常の表示図柄が表示された場合と比較して、非常に高くなり、遊技者の期待感が増して、遊技の興趣を高めることができる。
【００２３】
　また、遊技機（１０）内の制御部を構成する特殊図柄表示開始遊技回数設定部（２１）には、特殊図柄の表示を開始するまでの遊技回数である特殊図柄表示開始遊技回数が記録される。特殊図柄表示開始遊技回数は、遊技機（１０）ごとに、また、同一の遊技機（１０）であっても遊技時間帯によって、その数値が異なる。遊技盤面（１２）に設置された可変表示装置（１８）を稼動させて絵柄合わせ遊技を行っていくと、実遊技回数計数部（２２）が、絵柄合わせ遊技を行った際の遊技回数である実遊技回数を積算していく。
【００２４】
　そして、実遊技回数が特殊図柄表示開始遊技回数になると、特殊図柄表示維持手段（２５）は、可変表示装置（１８）における特殊図柄の表示を所定回数連続させて大当たりとなる確率が高い特殊図柄表示状態を維持する。このように、特殊図柄の表示が連続すれば、大当たりになる可能性が高いことが明確になる。それにより、前述したように遊技者は所持金を考慮して、遊技を続行するか否かを冷静に判断することができる。
【００２５】
　［３］項記載の遊技機（１０）では、通常の絵柄合わせ遊技においては、可変表示装置（１８）は、３つ並んだ図柄表示欄の二つの表示図柄が確定し、その二つの表示図柄が一致し、残りの一つの表示図柄が未定でありあるいは一致しない場合に、リーチ状態となり、残りの一つの表示図柄が先に確定した二つの表示図柄と一致する場合に、大当たりになる。
【００２６】
　また、特殊図柄表示手段（２４）は、少なくとも一つの図柄表示欄に、互いに異なる表示図柄が二以上含まれる特殊図柄を表示する。そして、特殊図柄を構成する表示図柄と、他の図柄表示欄の表示図柄とが互いに一致した場合に、リーチ状態になり、３つの表示図柄が一致した場合に大当たりとなる。
【００２７】
　一つの図柄表示欄、二つの図柄表示欄、または三つの図柄表示欄に特殊図柄がそれぞれ表示された場合に、リーチ状態になり、あるいは大当たりになる確率は、三つの図柄表示欄に通常の表示図柄がそれぞれ表示された場合に比して、２倍、４倍、または８倍と一般的に高くなるので、特殊図柄の数が増えていくに応じて、遊技者の期待感が増して、遊技の興趣を高めることができる。
【００２８】
　また、遊技機（１０）内の制御部を構成する特殊図柄表示開始遊技回数設定部（２１）には、特殊図柄の表示を開始するまでの遊技回数である特殊図柄表示開始遊技回数が記録される。特殊図柄表示開始遊技回数は、遊技機（１０）ごとに、また、同一の遊技機（１０）であっても遊技時間帯によって、その数値が異なる。遊技盤面（１２）に設置された可変表示装置（１８）を稼動させて絵柄合わせ遊技を行っていくと、実遊技回数計数部（２２）が、絵柄合わせ遊技を行った際の遊技回数である実遊技回数を積算していく。
【００２９】
　そして、実遊技回数が特殊図柄表示開始遊技回数になると、特殊図柄表示維持手段（２５）は、大当たりになるまで、可変表示装置（１８）における特殊図柄の表示を連続させて大当たりとなる確率が高い特殊図柄表示状態を維持する。このように、絵柄合わせ遊技において、特殊図柄の表示が連続し大当たりとなる確率が高い特殊図柄表示状態を維持し、特殊図柄表示状態の維持が大当たりになる場合に終了するので、遊技者の期待感を必ず満たし、集客性が高い遊技機（１０）にすることができる。
【００３０】
　特殊図柄表示状態の維持が終了する場合に、必ず、大当たりになる本遊技機（１０）においては、例えば、特殊図柄表示開始遊技回数が３００〜２７００回の間で設定される。遊技機（１０）では、一般的に１，０００円で、２８〜３０回絵柄合わせ遊技を行うことができる。したがって、約１０，０００〜９０，０００円のお金を遊技機（１０）につぎ込むと、特殊リーチの表示が開始され、特殊リーチの表示が複数回連続した後に大当たりが発生する。
【００３１】
　［４］項記載の遊技機（１０）では、通常の絵柄合わせ遊技においては、可変表示装置（１８）は、９つの図柄表示欄が３行３列のマトリックス状に配列され、絵柄合わせ遊技を行うごとに、各図柄表示欄に表示図柄が表示され図柄表示欄の各行のライン、各列のラインまたは斜めラインの少なくとも一つのライン上で３つの表示図柄が一致する場合に、大当たりになる。
【００３２】
　また、特殊図柄表示手段（２４）は、少なくとも一つの図柄表示欄に、互いに異なる表示図柄が二以上含まれる特殊図柄を表示する。そして、各ライン上において、特殊図柄を構成する表示図柄と、他の図柄表示欄の表示図柄とが互いに一致した場合に、リーチ状態になり、３つの表示図柄が一致した場合に大当たりとなる。
【００３３】
　特に、２行目のラインと２列目のラインとが交差する一の図柄表示欄において、一つの特殊図柄が表示された場合に、リーチ状態になり、あるいは、大当たりになる確率は、通常の表示図柄が表示された場合と比較して、非常に高くなり、遊技者の期待感が増して、遊技の興趣を高めることができる。
【００３４】
　また、遊技機（１０）内の制御部を構成する特殊図柄表示開始遊技回数設定部（２１）には、特殊図柄の表示を開始するまでの遊技回数である特殊図柄表示開始遊技回数が記録される。特殊図柄表示開始遊技回数は、遊技機（１０）ごとに、また、同一の遊技機（１０）であっても遊技時間帯によって、その数値が異なる。遊技盤面（１２）に設置された可変表示装置（１８）を稼動させて絵柄合わせ遊技を行っていくと、実遊技回数計数部（２２）が、絵柄合わせ遊技を行った際の遊技回数である実遊技回数を積算していく。
【００３５】
　そして、実遊技回数が特殊図柄表示開始遊技回数になると、特殊図柄表示維持手段（２５）は、大当たりになるまで、可変表示装置（１８）における特殊図柄の表示を連続させて大当たりとなる確率が高い特殊図柄表示状態を維持する。このように、絵柄合わせ遊技において、特殊図柄の表示が連続し大当たりとなる確率が高い特殊図柄表示状態を維持し、特殊図柄表示状態の維持が大当たりになる場合に終了するので、遊技者の期待感を必ず満たし、集客性が高い遊技機（１０）にすることができる。
【００３６】
　［５］項記載の遊技機（１０）では、前記特殊図柄表示維持手段（２５）が特殊図柄表示状態の維持をしている場合に、該特殊図柄表示状態の維持を報知する特殊図柄表示維持報知手段（３０）を備えたので、遊技者が特殊図柄表示状態の維持を明確に判断することができる。　
　ここで、特殊図柄表示維持報知手段（３０）は、特殊図柄表示状態の連続回数をディジタルまたはアナログにて表示してもよい。遊技者は、特殊図柄表示状態の連続回数から大当たりになる時期を概予測することができる。
【００３７】
　［６］項記載の遊技機（１０）では、前記特殊図柄表示維持報知手段（３０）は、特殊図柄表示状態を維持しない特殊図柄表示状態非維持時と、特殊図柄表示状態を維持する特殊図柄表示状態維持時とで、その表示色を切り換えて表示する特殊図柄表示維持表示部（３２）から構成されているので、大当たりに近づいている遊技機（１０）であることが誰に対しても明確に表示され、遊技者ばかりでなく、例えば、遊技機（１０）の側の他の遊技者や、その側を通過する他の遊技者に対しても刺激を与えることができ、遊技の興趣を高めることができる。　
　表示色を切り換えて表示するものとしては、図柄表示欄であってもよい。その場合には、全部の図柄表示欄の表示色を切り換えてもよく、例えば、中央の図柄表示欄の表示色を切り換えてもよい。
【００３８】
　［７］項記載の遊技機（１０）では、前記特殊図柄表示維持報知手段（３０）が報知を開始する場合に、報知音を発生する報知音発生装置（３５）を備えたので、遊技者やその側の他の遊技者にも、大当たりに近づいた旨の注意を促すことができる。
【発明の効果】
【００３９】
　本発明にかかるパチンコ機によれば、可変表示装置における図柄表示欄の少なくとも一つに、互いに異なる表示図柄が二以上含まれる特殊図柄を表示するようにしたので、大当たりの可能性が高くなり、大当たりへの期待が膨らみ、遊技の興趣を高いものにして、遊技場の集客性を向上することができる。
【発明を実施するための最良の形態】
【００４０】
　以下、図面に基づき本発明の一実施の形態を説明する。　
　図１〜図４は本発明の一実施の形態を示している。　　
　図１および図２に示すように、本実施の形態にかかるパチンコ機である遊技機１０は、その盤面１２に特定入賞口１５が開設され、特定入賞口１５の上方には可変表示装置１８が設けられている。可変表示装置１８は、９つの図柄表示欄が、３行３列のマトリックス状に配置されて成る。表示ラインの一つである各行のラインは３つの図柄表示欄１８ａ，１８ｂ，１８ｃから構成されている。
【００４１】
　図柄表示欄１８ａ，１８ｂ，１８ｃの表示図柄には、１〜９までの数字が用いられている。表示図柄は、これに限らず、例えば、動物、植物、アニメのキャラクタなどであってもよい。表示ライン（各行のライン、各列のライン、あるいは各斜めライン）上で、表示図柄の数字が３つ共に同一になれば、特定の組み合わせとなる。特定の組み合わせは、同一の数字ばかりでなく、表示図柄の特性に一定の相互関係（一致性）が存在すればよい。
【００４２】
　各図柄表示欄１８ａ，１８ｂ，１８ｃは、見掛け上は区分けされているが、同一の液晶画面（ＴＦＴ型またはＤＳＴＮ型の液晶ディスプレイ）により構成されている。また、各図柄表示欄１８ａ，１８ｂ，１８ｃは、機械式の回転ドラムで構成してもよい。可変表示装置１８の各行のラインを構成する図柄表示欄１８ａ，１８ｂ，１８ｃは、一般的に、最初にその始端側に位置する図柄表示欄１８ａと終端側に位置する図柄表示欄１８ｃの図柄が確定し、最後に、中間に位置する図柄表示欄１８ｂの図柄が確定する。図柄確定の順序は後述のパチンコ機１０のＣＰＵが出力する制御信号による。
【００４３】
　可変表示装置１８の稼働は、特定入賞口１５へのパチンコ球の入賞を条件として、行われる。特定入賞口１５への入賞を検出すべく、光電センサ（または近接スイッチ）が設けられている。
【００４４】
　特定入賞口１５の入賞の検出信号（ハイレベル信号）は、増幅され、ＡＤ変換されて、パチンコ機のＣＰＵに出力され、可変表示装置１８が稼働中でなければ、ＣＰＵが可変表示装置１８の液晶表示駆動回路に駆動命令（ハイレベル信号）を出力し、可変表示装置１８が稼働中であれば、ＣＰＵの演算部が、前記保留権利数が４以上であるか否かを判断し、４以上であれば、保留権利が放棄され、４以上でなければ、保留権利数に１が加算される。
【００４５】
　また、保留権利数は、可変表示装置１８を１回稼働するごとに１つずつ減算される。ＣＰＵの演算部を構成する実遊技回数計数部２２は、可変表示装置１８の液晶表示駆動回路への駆動命令をカウントし、実遊技回数として積算していく。
【００４６】
　パチンコ機１０を制御する上での主記憶部としてＥＥＰＲＯＭ（Electrically
Erasable and Programmable ROM）が設けられており、ＥＥＰＲＯＭを構成する特殊図柄表示開始遊技回数設定部２１には、特殊図柄の表示が開始されるまでの遊技回数である特殊図柄表示開始遊技回数（例えば、３００〜２７００）が記録されている。特殊図柄表示開始遊技回数は、パチンコ機ごとに、あるいは同一機であっても時間帯ごとに異なり、適宜書き換えられる。
【００４７】
　ＣＰＵの演算部を構成する遊技回数比較部２３は、実遊技回数と特殊図柄表示開始遊技回数とを比較し、実遊技回数が特殊図柄表示開始遊技回数より大きければ、比較結果大（ハイレベル信号）を特殊図柄表示維持手段２５に出力する。ＣＰＵの演算部は、比較結果大（ハイレベル信号）が出力された回数をカウントする。
【００４８】
　特殊図柄表示維持手段２５は、遊技回数比較部２３が比較結果大（ハイレベル信号）を出力し、かつ、比較結果大（ハイレベル信号）の出力回数が所定回数（例えば８回）以内である場合に、維持命令（ハイレベル信号）を特殊図柄表示手段２４に出力する。維持命令（ハイレベル信号）が出力される場合に、可変表示装置１８が特殊図柄表示状態に維持される。
【００４９】
　ここで、特殊図柄表示状態に維持されるとは、９つの図柄表示欄１８ａ，１８ｂ，１８ｃの１つに、数字「１」〜「９」の中で互いに異なる二つの表示図柄から成る特殊図柄が表示され、かつ、特殊図柄の表示図柄と、他の二つの図柄表示欄の表示図柄（特殊図柄を含む）とが３つ共に一致する（大当たりになる）ことがない状態に維持されていることをいう。特殊図柄は、互いに異なる三つ以上の表示図柄を含むものであってもよい。また、特殊図柄が数字「１」〜「９」を全て含む場合には、「☆」印などの表示であってもよい。
【００５０】
　特殊図柄表示状態の維持が開始される場合に、特殊図柄表示状態の維持モードの表示プログラムに移行する。特殊図柄表示状態の維持モードの表示プログラムは、絵柄合わせ遊技において、比較結果大（ハイレベル信号）の出力回数が所定回数になるまで行われる。　本実施の形態に係る特殊図柄表示状態維持モードの表示プログラムは、図４に示すように、比較結果大（ハイレベル信号）の出力回数が８回目になる場合に、必ず大当たりになり（３行目のラインにおいて、図柄表示欄１８ａ，１８ｃの各表示図柄「２」、および図柄表示欄１８ｂの特殊図柄「２／４」が一致し）、特殊図柄表示状態維持が終了するように構成されている。
【００５１】
　一方、実遊技回数が特殊図柄表示開始遊技回数より小さければ、可変表示装置１８は、特殊図柄表示状態が維持されず、通常の絵柄合わせ遊技が続行され、図柄表示欄１８ａ，１８ｂ，１８ｃの各表示図柄には数字「１」〜「９」までの数が可変表示される。通常の絵柄合わせ遊技においても、特殊図柄が表示されるが、特殊図柄表示状態が維持されていないから、特殊図柄は連続しないで、単発的に表示され、大当たりに近づいているとの遊技者の誤認は防止される。　
　通常の絵柄合わせ遊技においては、特殊図柄を表示しないで、特殊図柄が表示されると、必ず、特殊図柄表示状態の維持モードになるものであってもよい。
【００５２】
　特殊図柄表示維持報知手段３０は、遊技盤面１２の上方に配置され、特殊図柄表示状態維持開始命令（遊技回数比較部２３が出力する比較結果大（ハイレベル信号））を受けると、液晶画面である特殊図柄表示維持表示部３２を駆動するとともに、その表示欄中に特殊図柄表示の連続回数「１」を表示し、以下、特殊図柄表示状態維持命令を受ける度に、連続回数を増やして表示（「２」〜「８」）する。
【００５３】
　ここで、特殊図柄表示維持報知手段３０の特殊図柄表示維持表示部３２が示す連続回数は、遊技者の「大当たり」に近づいていることの目安になり、例えば、特殊図柄表示の連続回数が８回で大当たりになる。また、特殊図柄表示維持報知手段３０が特殊図柄表示状態の維持を開始する場合に、報知音発生装置３５は、特殊図柄表示状態の維持が開始された旨の報知音（例えば、「チャイム」、「ファンファーレ」）を発する。
【００５４】
　可変表示装置１８の稼働が終了する場合に、組み合わせ判断部２６は、表示ライン（各行のライン、各列のライン、各斜めライン）上の表示図柄が特定の組み合わせになっているか、および、特定の組み合わせが幾つ存在するかを判断する。
【００５５】
　組み合わせ判断部２６は、各表示ライン上の表示図柄が特定の組み合わせであると判断した場合には、大当たりとなり、一つの特定の組み合わせに対して、一つのフィーバ状態（可変入賞口が１６回数分だけ開閉動作を繰り返し、入賞の容易な特別状態）が発生されるよう構成されている。
【００５６】
　本実施の形態においては、例えば、図４に示すように、特殊図柄表示維持モードになると、特殊図柄の表示が８回連続し、８回目の表示では、３行目のライン上で３つの表示図柄が数字「２」で一致し、大当たりになり、一つのフィーバ状態が発生する。特殊図柄の表示が連続する中には、６回目の表示で示すように、表示ライン上で２つの表示図柄が数字「７」で一致するリーチ状態が表示される。さらに、８回目の表示で大当たりになった場合において、二以上の表示ライン上で大当たりになる場合には、そのライン数に応じて、二以上のフィーバ状態が発生する。　
　可変表示装置１８の上方には保留表示部が設けられている。保留表示部は４つの保留ランプ３１を有し、権利保留数に対応して、点灯表示される。
【００５７】
　次に、前記実施の形態の作用を説明する。　
　図３に示すように、ステップ１０１において、パチンコ機が稼動する場合に、ステップ１０２において、パチンコ球がスタートチャッカーである特定入賞口１５に入賞するかどうかを判断し、入賞すれば、ステップ１０３において、パチンコ機のＣＰＵは可変表示装置１８が稼働中か否かを判断する。
【００５８】
　ステップ１０２において、特定入賞口１５に入賞しない場合に、ステップ１０４において、持ち玉が有るか否かを判断し、持ち玉が有れば、ステップ１０２に戻り、持ち玉が無ければ、ステップ１０５において、ゲームが終了する。
【００５９】
　ステップ１０３において、可変表示装置１８が稼働中でないと判断される場合に、ステップ１０６において、遊技回数比較部２３が特殊図柄表示開始遊技回数と実遊技回数とを比較し、実遊技回数が特殊図柄表示開始遊技回数以上である場合に比較結果大（ハイレベル信号）を出力する。
【００６０】
　一方、ステップ１０３において、可変表示装置１８が稼働中であれば、ステップ１０７において、ＣＰＵの演算部が、前記保留権利数が４以上であるか否かを判断し、４以上であれば、ステップ１０８において保留権利が放棄され、４以上でなければ、ステップ１０９において保留権利数に１が加算される。
【００６１】
　ステップ１０６において、特殊図柄表示維持手段２５は、遊技回数比較部２３が比較結果大（ハイレベル信号）を出力し、かつ、比較結果大（ハイレベル信号）の出力回数が所定回数（例えば８回）以下である場合に、維持命令（ハイレベル信号）を特殊図柄表示手段２４に出力する。維持命令（ハイレベル信号）が出力される場合に、ステップ１１０において、可変表示装置１８が特殊図柄表示状態が開始され、かつ、開始後は特殊図柄表示状態に維持される。
【００６２】
　特殊図柄表示状態が開始されると、可変表示装置１８の中央の図柄表示欄１８ｂに特殊図柄表示が開始され、特殊図柄表示維持表示部３２が連続回数「１」を表示し、報知音発生装置３５が報知音を発生する。ＣＰＵを構成する演算部は、比較結果大（ハイレベル信号）の出力回数（特殊図柄の表示回数）をカウントする。
【００６３】
　ステップ１１１において、ＣＰＵを構成する演算部は、比較結果大の出力回数（特殊図柄の表示回数）が所定回数（本実施の形態では８回）と一致するか否かを判断し、一致すれば、ステップ１１２において、少なくとも一つの図柄表示欄に表示される特殊図柄を構成する表示図柄と、他の図柄表示欄に表示される表示図柄（特殊図柄を含む）とにおいて、同じ表示図柄が３つ表示されて、大当たりとなり、ステップ１１３に移行する。
【００６４】
　比較結果大の出力回数（特殊図柄の表示回数）が所定回数（例えば８回）と一致しなければ、ステップ１１６において、可変表示装置１８が外れ表示（少なくとも一つの図柄表示欄に表示される特殊図柄を構成する表示図柄と、他の図柄表示欄に表示される表示図柄（特殊図柄を含む）とにおいて、同じ表示図柄が３つ揃わない表示）をする。
【００６５】
　ステップ１０６において、実遊技回数が特殊図柄表示開始遊技回数より小さい場合に比較結果小（ローレベル信号）を出力する。ステップ１１４において、可変表示装置１８は、通常の表示図柄を表示する。このとき、実遊技回数計数部２２が駆動信号をカウントして、実遊技回数を積算する。次に、ステップ１１５に移行する。
【００６６】
　ステップ１１５において、組み合わせ判断部２６が大当たりか否かを判断し、大当たりであれば、ステップ１１２に移行する。一方、大当たりでなければ、ステップ１１６において、可変表示装置１８が外れ表示をし、ステップ１１９に移行する。
【００６７】
　ステップ１１３において、ＣＰＵの演算部が、大当たりのライン数を計数し、ステップ１１７において、大当たりのライン数に応じた、特別状態の権利が発生する。大当たりのライン数が「２」であれば、２回の特別状態の権利が発生する。１回の特別状態では、可変入賞口が開放を１６回繰り返す。次に、ステップ１１８において、可変表示装置１８の表示図柄が全て消されるとともに、実遊技回数も初期化される。
【００６８】
　次に、ステップ１１９において、保留権利が残存しているか判断する。ステップ１１９において、保留権利が残存していると、ステップ１２０において、保留権利数から「１」を減じた後に、ステップ１０３に戻る。一方、ステップ１１９において、保留権利が残存していないと、ステップ１０２に戻る。
【００６９】
　すなわち、遊技者は、可変表示装置１８の９つの図柄表示欄１８ａ，１８ｂ，１８ｃに特殊図柄が連続して表示されるか否かに興味を示し、特殊図柄表示維持報知手段３０が表示を開始した後は、「大当たり」に向かって、特殊図柄表示維持表示部３２が表示する特殊図柄表示状態連続回数に大きな関心を寄せるようになり、大当たりに向かって確実に遊技を行っているのか、反対に、大当たりになるまで、絵柄合わせ遊技を数多く行う必要があるかを客観的に判断することができるため、無意味にお金をパチンコ機１０につぎ込むことが防止される。そして、遊技者は、所持金を考慮しつつ遊技を楽しむことができる。
【００７０】
　本実施の形態に係る遊技機１０では、特殊図柄が連続して８回表示される場合に、必ず大当たりになり、大当たりをもって特殊図柄表示状態の維持が終了するので、遊技者の期待に必ず応えることができ、遊技者を引き付け、魅力のある遊技機となる。　
　なお、前記実施の形態においては、遊技機としてパチンコ機１０を示したが、遊技媒体にコインを用いる、盤面１２上で同じく絵柄合わせ遊技を行うスロットマシンであってもよい。
【００７１】
　また、特殊図柄表示維持報知手段３０の特殊図柄表示維持表示部３２として、特殊図柄表示状態連続回数をディジタル表示するものを示したが、連続回数が増えるに応じて、段階的に表示色を青〜黄〜赤に変化させるものでもよい。特殊図柄表示維持報知手段３０の特殊図柄表示維持表示部３２は、特殊図柄表示状態維持を開始したときに、青色に点灯し、以後、青〜黄〜赤へ点灯色を切り換えるようにしてもよい。
【００７２】
　さらに、９つの図柄表示欄を３行３列のマトリックス状に配列したものを示したが、３つの図柄表示欄を並設して成る、一つの行ラインで構成されたものであってもよく、二つの行ラインで構成されたものであってもよい。
【図面の簡単な説明】
【００７３】
【図１】本発明の一実施の形態を示すパチンコ機の構成ブロック図である。
【図２】本発明の一実施の形態を示すパチンコ機の要部正面図である。
【図３】本発明の一実施の形態を示すパチンコ機のフローチャートである。
【図４】本発明の一実施の形態を示すパチンコ機の作用説明図である。
【符号の説明】
【００７４】
　１０…遊技機
　１２…盤面
　１５…特定入賞口
　１８…可変表示装置
　１８ａ，１８ｂ，１８ｃ…図柄表示欄
　２１…特殊図柄表示開始遊技回数設定部
　２２…実遊技回数計数部
　２３…遊技回数比較部
　２４…特殊図柄表示手段
　２５…特殊図柄表示維持手段
　２６…組み合わせ判断部
　３０…特殊図柄表示維持報知手段
　３２…特殊図柄表示維持表示部
　３５…報知音発生装置
【図１】
2004105759.tif 000003
【図２】
2004105759.tif 000004
【図３】
2004105759.tif 000005
【図４】
2004105759.tif 000006